【事件の表示】
　商願２００３−６４３５１拒絶査定不服審判事件について、次のとおり審決する。
【結　論】
　原査定を取り消す。
　本願商標は、登録すべきものとする。
【理　由】
１　本願商標
　本願商標は、「ＲＥＳＥＴ＆ＲＥＢＩＲＴＨ」の文字を横書きしてなり、第５類「薬剤，歯科用材料，医療用腕環，医療用油紙，衛生マスク，オブラート，ガーゼ，カプセル，眼帯，耳帯，失禁用おしめ，人工受精用精液，生理帯，生理用タンポン，生理用ナプキン，生理用パンティ，脱脂綿，乳児用粉乳，乳糖，はえ取り紙，ばんそうこう，包帯，包帯液，防虫紙，胸当てパッド」、第２９類「納豆菌・乳酸菌を主たる成分とするタブレット状・粒状・ソフトカプセル状・粉末状・顆粒状・錠剤状・液状・ペースト状・ジェル状の加工食品，食肉，食用魚介類（生きているものを除く。），肉製品，加工水産物，豆，加工野菜及び加工果実，冷凍果実，冷凍野菜，卵，加工卵，乳製品，食用油脂，カレー・シチュー又はスープのもと，なめ物，お茶漬けのり，ふりかけ，油揚げ，凍り豆腐，こんにゃく，豆乳，豆腐，納豆，食用たんぱく」を指定商品として、平成１５年７月３１日に登録出願されたものである。
　
２　原査定の引用商標
　原査定において、本願の拒絶の理由に引用した商標は、以下のとおりである。
（１）登録第１７０３４２９号商標(以下、「引用Ａ商標」という。)は、「リバース」の文字を横書きしてなり、昭和５６年１２月８日に登録出願、第１類「化学品、薬剤、医療補助品」を指定商品として、同５９年７月２５日に設定登録、その後、平成６年７月２８日及び同１６年８月３日に商標権存続期間の更新登録がなされ、さらに、指定商品については、同年８月２５日に第５類「薬剤，医療用油紙，衛生マスク，オブラート，ガーゼ，カプセル，眼帯，耳帯，生理帯，生理用タンポン，生理用ナプキン，生理用パンティ，脱脂綿，ばんそうこう，包帯，包帯液，胸当てパッド，歯科用材料」を指定商品とする書換登録がなされているものである。 
（２）登録第２０１７５４２号商標(以下、「引用Ｂ商標」という。)は、「リーセット」の文字と「ＲＥＥＳＥＴ」の文字を二段に横書きしてなり、昭和６１年５月１４日に登録出願、第１７類「被服、布製見回品、寝具類」を指定商品として、同６３年１月２６日に設定登録、その後、平成１０年１月１３日に商標権存続期間の更新登録がなされたものである。
（３）登録第２２０３０２２号商標(以下、「引用Ｃ商標」という。)は、「リーセット」の文字と「ＲＥＳＥＴ」の文字を二段に横書きしてなり、昭和６２年１０月１５日に登録出願、第１７類「被服、布製見回品、寝具類」を指定商品として、平成２年１月３０日に設定登録、その後、同１１年１０月１２日に商標権存続期間の更新登録がなされたものである。 　　　　 
（４）登録第４２８４３３６号商標(以下、「引用Ｄ商標」という。)は、「リバース」の文字と「ＲＥＢＩＲＴＨ」の文字を二段に横書きしてなり、平成１０年４月２３日に登録出願、第５類「薬剤，ガーゼ，ばんそうこう，包帯」を指定商品として、同１１年６月１８日に設定登録されたものである。
（５）登録第４３８８７７３号商標(以下、「引用Ｅ商標」という。)は、「リセット」の文字と「ＲＥＳＥＴ」の文字を二段に横書きしてなり、平成１０年５月８日に登録出願、第３２類「清涼飲料，果実飲料，飲料用野菜ジュース」を指定商品として、同１２年６月２日に設定登録されたものである。
（６）登録第４４４３８５３号商標(以下、「引用Ｆ商標」という。)は、「リセット」の文字と「ＲＥＳＥＴ」の文字を二段に横書きしてなり、平成１１年１２月６日に登録出願、第２９類「食肉，食用魚介類(生きているものを除く。)，肉製品，加工水産物，豆，加工野菜及び加工果実，冷凍果実，冷凍野菜，卵，加工卵，カレー・シチュー又はスープのもと，なめ物，お茶漬けのり，ふりかけ，油揚げ，凍り豆腐，こんにゃく，豆乳，豆腐，納豆，食用たんぱく」を指定商品として、同１３年１月５日に設定登録されたものである。
（７）登録第４４４３８５４号商標(以下、「引用Ｇ商標」という。)は、「リセット」の文字と「ＲＥＳＥＴ」の文字を二段に横書きしてなり、平成１１年１２月６日に登録出願、第３０類「コーヒー及びココア，コーヒー豆，茶，食品香料(精油のものを除く。)，米，脱穀済みのえん麦，脱穀済みの大麦，食用粉類，食用グルテン，穀物の加工品，ぎょうざ，サンドイッチ，しゅうまい，すし，たこ焼き，肉まんじゅう，ハンバーガー，ピザ，べんとう，ホットドッグ，ミートパイ，ラビオリ，菓子及びパン，即席菓子のもと，アーモンドペースト，イーストパウダー，こうじ，酵母，ベーキングパウダー，氷，アイスクリーム用凝固剤，家庭用食肉軟化剤，酒かす，ホイップクリーム用安定剤」を指定商品として、同１３年１月５日に設定登録されたものである。   
（８）登録第４５１６２２９号商標(以下、「引用Ｈ商標」という。)は、「リバーズ」の文字を標準文字で横書きしてなり、平成１２年１０月２３日に登録出願、第３２類「ビール，清涼飲料，果実飲料，乳清飲料，ビール製造用ホップエキス」、第３３類「日本酒，洋酒，果実酒，中国酒，薬味酒」及び第３５類「経営の診断及び指導，市場調査，商品の販売に関する情報の提供」を指定商品及び指定役務として、同１３年１０月１９日に設定登録されたものである。
（９）登録第４６１０６５１号商標(以下、「引用Ｉ商標」という。)は、「リセット」の文字を標準文字で横書きしてなり、平成１３年１０月１２日に登録出願、第５類「薬剤，歯科用材料，医療用油紙，衛生マスク，オブラート，ガーゼ，カプセル，眼帯，耳帯，生理帯，生理用タンポン，生理用ナプキン，生理用パンティ，脱脂綿，ばんそうこう，包帯，包帯液，胸当てパッド，人工受精用精液，乳児用粉乳，乳糖，はえ取り紙，防虫紙」を指定商品として、同１４年１０月４日に設定登録されたものである。
（１０）登録第４６９９０９２号商標(以下、「引用Ｊ商標」という。)は、「リセット」の文字を標準文字で横書きしてなり、平成１４年１１月８日に登録出願、第１６類「事務用又は家庭用ののり及び接着剤，封ろう，印刷用インテル，活字，青写真複写機，あて名印刷機，印字用インクリボン，自動印紙はり付け機，事務用電動式ホッチキス，事務用封かん機，消印機，製図用具，タイプライター，チェックライター，謄写版，凸版複写機，文書細断機，郵便料金計器，輪転謄写機，マーキング用孔開型板，電気式鉛筆削り，装飾塗工用ブラシ，紙製幼児用おしめ，紙製包装用容器，家庭用食品包装フィルム，紙製ごみ収集用袋，プラスチック製ごみ収集用袋，型紙，裁縫用チャコ，紙製のぼり，紙製旗，観賞魚用水槽及びその附属品 ，衛生手ふき，紙製タオル，紙製テーブルナプキン，紙製手ふき，紙製ハンカチ，荷札，印刷したくじ（おもちゃを除く。），紙製テーブルクロス，紙類，文房具類 ，雑誌，新聞，書画，写真，写真立て」を指定商品として、同１５年８月８日に設定登録されたものである(以下、これらをまとめて「引用商標」という。)。
　
３　当審の判断
　本願商標の構成は、上記１のとおり、「ＲＥＳＥＴ＆ＲＥＢＩＲＴＨ」の文字を横書きしてなるものである。
　しかして、その構成は、外観上、全体としてまとまりよく表されているばかりでなく、該構成中の「＆」の文字が、英単語の「ａｎｄ」の意を表す記号であり、２つの語を接続するために用いられるものであることと相俟って、全体として一体的に表された態様とみるのが自然なものである。
　そうすると、本願商標は、その構成文字全体に相応して「リセット(アンド)リバース」の称呼のみを生ずるものというのが相当である。
　したがって、本願商標から単に「リセット」または「リバース」の称呼をも生じるとし、そのうえで、本願商標と引用商標とが称呼上類似するものとして、本願商標を商標法第４条第１項第１１号に該当するとした原査定は、取り消しを免れない。
　その他、政令で定める期間内に、本願を拒絶する理由を発見しない。
　よって、結論のとおり審決する。